(57)【要約】本発明は、発呼者からの呼に対し被呼者の応答がなかった場合、当該呼を完了させる方法、装置およびシステムを提供する。前述の呼に対し被呼者からの応答がなかったことを知らせる信号が検出されると（３００）、当該呼は終了される（３０２）。呼に対する被呼者の応答がなかったことを知らせるメッセージが発呼者に提示され、前述の被呼者（３０４）に送付するマルチメディア・メッセージを作成するように発呼者に促す。次に、発呼者がマルチメディア・メッセージ（３０８）を作成し終る度に、当該マルチメディア・メッセージはマルチメディア・メッセージ・サービス・サーバ（４０２）に送られ、次に被呼者に伝えられる。この機能はコンピュータによる読み込み可能な媒体上で具現化されるコンピュータ・プログラムを用いることによって実現可能であり、各機能はコード・セグメントを用いることによって実行される。
2005533407.tif 000002
【特許請求の範囲】
【請求項１】
発呼者からの呼に対して被呼者の応答がなかった場合、当該呼を完了させる方法であって、
前記呼に対し前記被呼者の応答が無かったことを知らせる信号を検出するステップと、
前記呼を終了させるステップと、
前記呼に対し前記被呼者の応答が無かったことを知らせるメッセージを提示し、且つ前記被呼者に伝えるマルチメディア・メッセージを作成するように前記発呼者に促すステップと、
前記発呼者が前記マルチメディア・メッセージを作成し終る度に、該マルチメディア・メッセージを被呼者に伝えるためにマルチメディア・メッセージ・サービス・サーバに送るステップと、
を含む方法。
【請求項２】
請求項１記載の方法において、前記呼に対し前記被呼者の応答が無かったことを知らせる信号は話中信号を含む方法。
【請求項３】
請求項１記載の方法において、前記呼に対し前記被呼者の応答が無かったことを知らせる信号は無応答信号を含む方法。
【請求項４】
請求項１記載の方法において、前記呼に対し前記被呼者の応答が無かったことを知らせる信号は告知信号を含む方法。
【請求項５】
請求項１記載の方法において、前記メッセージはデフォルト・メッセージである方法。
【請求項６】
請求項１記載の方法において、前記メッセージは前記被呼者によって決定され、カスタマイズされた信号である方法。
【請求項７】
請求項１記載の方法において、前記メッセージは１つ以上のマルチメディア要素を含む方法。
【請求項８】
請求項１記載の方法において、前記発呼者が操作する端末が検出、終了、提示、促し、および送付ステップを実行する方法。
【請求項９】
請求項１記載の方法において、前記発呼者に関連付けられた移動スイッチング・センターは、前記呼に対し前記被呼者の応答が無かったことを知らせる信号を検出するステップを実行し、前記呼を終了させるステップを実行し、更に前記発呼者が操作する端末に信号を送って前記メッセージを送るように指示する方法。
【請求項１０】
請求項１記載の方法において、前記発呼者に関連付けられた移動スイッチング・センターは、前記呼に対し前記被呼者の応答は無かったことを知らせる信号を検出するステップを実行し、前記呼を終了させるステップを実行し、前記発呼者にメッセージを送るように前記マルチメディア・メッセージ・サービス・サーバに指示するインボウク・メッセージを前記マルチメディア・メッセージ・サービス・サーバに送る方法。
【請求項１１】
請求項１記載の方法において、前記マルチメディア・メッセージ・サービス・サーバは前記発呼者に関連付けられ、該マルチメディア・メッセージ・サービス・サーバは、前記発呼者に関連付けられたマルチメディア・メッセージ・サービス・サーバにマルチメディア・メッセージを前記被呼者に伝えるために送付する、方法。
【請求項１２】
請求項１記載の方法において、前記マルチメディア・メッセージ・サービス・サーバは前記被呼者に関連付けられる方法。
【請求項１３】
請求項１記載の方法において、前記発呼者は前記マルチメディア・メッセージの作成を完了しない方法。
【請求項１４】
請求項１記載の方法であって、更に、前記被呼者に対する前記マルチメディア・メッセージの伝達を遅延させるステップを含む方法。
【請求項１５】
コンピュータ読み込み可能媒体上で具現化され、発呼者からの呼に対し被呼者の応答が無かった場合、呼を完了させるコンピュータ・プログラムであって、
前記呼に対し前記被呼者の応答が無かったことを知らせる信号を検出するように適応したコード・セグメントと、
前記呼を終了させるように適応したコード・セグメントと、
前記呼に対し前記被呼者の応答が無かったことを知らせるメッセージを発呼者に提示し、前記被呼者に伝えるマルチメディア・メッセージを作成するように前記発呼者に促すように適応したコード・セグメントと、
前記発呼者が前記マルチメディア・メッセージを作成し終る度に、当該マルチメディア・メッセージを前記被呼者に伝えるためにマルチメディア・メッセージ・サービス・サーバに送るように、適応したコード・セグメントと、
を備えたコンピュータ・プログラム。
【請求項１６】
請求項１５記載のコンピュータ・プログラムにおいて、前記被呼者は前記呼に応答しなかったことを知らせる信号は話中信号を含むコンピュータ・プログラム。
【請求項１７】
請求項１５記載のコンピュータ・プログラムにおいて、前記被呼者は前記呼に応答しなかったことを知らせる信号は無応答信号を含むコンピュータ・プログラム。
【請求項１８】
請求項１５記載のコンピュータ・プログラムにおいて、前記被呼者は前記呼に応答しなかったことを知らせる信号は告知信号を含むコンピュータ・プログラム。
【請求項１９】
請求項１５記載のコンピュータ・プログラムにおいて、前記メッセージはデフォルト・メッセージであるコンピュータ・プログラム。
【請求項２０】
請求項１５記載のコンピュータ・プログラムにおいて、前記メッセージは前記被呼者によって決定された、カスタマイズされたメッセージであるコンピュータ・プログラム。
【請求項２１】
請求項１５記載のコンピュータ・プログラムにおいて、前記メッセージは１つ以上のマルチメディア・メッセージ要素を含むコンピュータ・プログラム。
【請求項２２】
請求項１５記載のコンピュータ・プログラムにおいて、前記検出、終了、提示、促し、および送付機能を実行するように適応した前記コード・セグメントは、前記発呼者が操作する端末上にある、コンピュータ・プログラム。
【請求項２３】
請求項１５記載のコンピュータ・プログラムであって、更に、
前記被呼者に関連付けられたマルチメディア・メッセージ・サービス・サーバ上にあって、前記メッセージを送るように指示するための前記信号を、前記発呼者が操作する端末に対して送るように適応したコード・セグメントを備え、
前記検出、および終了機能を実行するように適応したコード・セグメントは、前記移動スイッチング・センター上にある、コンピュータ・プログラム。
【請求項２４】
請求項１５記載のコンピュータ・プログラムであって、更に、
前記被呼者に関連付けられた移動スイッチング・センター上にあって、前記発呼者に前記メッセージを送るように前記マルチメディア・メッセージ・サービス・サーバに指示するインボウク・メッセージを前記マルチメディア・メッセージ・サービス・サーバに送るように適応したコード・セグメントを備え、
前記検出、および終了機能を実行するように適応した前記コード・セグメントは、前記移動メッセージ・センター上にある、コンピュータ・プログラム。
【請求項２５】
請求項１５記載のコンピュータ・プログラムにおいて、前記マルチメディア・メッセージ・サービス・サーバは前記発呼者に関連付けられ、該マルチメディア・メッセージ・サービス・サーバは前記被呼者に関連付けられたマルチメディア・メッセージ・サービス・サーバに前記マルチメディア・メッセージを前記被呼者に伝えるために送る、コンピュータ・プログラム。
【請求項２６】
請求項１５記載のコンピュータ・プログラムにおいて、前記マルチメディア・メッセージ・サービス・サーバは前記被呼者に関連付けられているコンピュータ・プログラム。
【請求項２７】
請求項１５記載のコンピュータ・プログラムであって、更に、前記被呼者に対する前記マルチメディア・メッセージの伝達を遅延させるように適応したコード・セグメントを備えるコンピュータ・プログラム。
【請求項２８】
発呼者からの呼に対し被呼者の応答が無かった場合、当該呼を終了させることができる端末であって、
前記呼に対し前記被呼者の応答が無かったことを知らせる信号を検出する手段と、
前記呼を終了させる手段と、
前記呼に対し前記被呼者の応答が無かったことを知らせるメッセージを前記発呼者に提示し、前記被呼者に伝えるマルチメディア・メッセージを作成するように前記発呼者に促す手段と、
前記発呼者がマルチメディア・メッセージを作成し終える度に、該マルチメディア・メッセージを前記被呼者に伝えるためにマルチメディア・メッセージ・サービス・サーバに送る手段と、
を備える端末。
【請求項２９】
請求項２８記載の端末において、前記呼に対し前記被呼者の応答が無かったことを知らせる信号は話中信号を含む端末。
【請求項３０】
請求項２８記載の端末において、前記呼に対し前記被呼者の応答が無かったことを知らせる信号は無応答信号を含む端末。
【請求項３１】
請求項２８記載の端末において、前記呼に対し前記被呼者の応答が無かったことを知らせる信号は告知信号を含む端末。
【請求項３２】
請求項２８記載の端末において、前記メッセージはデフォルト・メッセージである端末。
【請求項３３】
請求項２８記載の端末において、前記メッセージはカスタマイズされたメッセージである端末。
【請求項３４】
請求項２８記載の端末において、前記メッセージは１つ以上のマルチメディア要素を含む端末。
【請求項３５】
発呼者からの呼に対し被呼者の応答が無かった場合、当該呼を終了させるシステムであって、
マルチメディア・メッセージ・サービス・サーバと、
前記マルチメディア・メッセージ・サービス・サーバと通信可能に結合された発呼者が操作する端末であって、前記呼に対し前記被呼者の応答が無かったことを知らせる信号を検出し、当該呼を終了し、前記呼に対し前記被呼者の応答が無かったことを知らせるメッセージを前記発呼者に提示して、前記被呼者に伝えるマルチメディア・メッセージを作成するように前記発呼者に促し、該発呼者が前記マルチメディア・メッセージを作成し終る度に、該マルチメディア・メッセージを前記被呼者に伝えるために前記マルチメディア・メッセージ・サービス・サーバに送る、端末と、
を備えるシステム。
【請求項３６】
請求項３５記載のシステムにおいて、前記呼に対し前記被呼者の応答が無かったことを知らせる信号は話中信号を含むシステム。
【請求項３７】
請求項３５記載のシステムにおいて、前記呼に対し前記被呼者の応答が無かったことを知らせる信号は無応答信号を含むシステム。
【請求項３８】
請求項３５記載のシステムにおいて、前記呼に対し前記被呼者の応答が無かったことを知らせる信号は告知信号を含むシステム。
【請求項３９】
請求項３５記載のシステムにおいて、前記メッセージはカスタマイズされたメッセージであるシステム。
【請求項４０】
請求項３５記載のシステムにおいて、前記メッセージは１つ以上のマルチメディア要素を含むシステム。
【請求項４１】
請求項３５記載のシステムにおいて、前記マルチメディア・メッセージ・サービス・サーバは前記発呼者に関連付けられており、該マルチメディア・メッセージ・サービス・サーバは前記マルチメディア・メッセージを前記被呼者に伝えるために前記被呼者に関連付けられたマルチメディア・メッセージ・サービス・サーバに送る、システム。
【請求項４２】
請求項３５記載のシステムにおいて、前記マルチメディア・メッセージ・サービス・サーバは前記被呼者に関連付けられているシステム。
【請求項４３】
請求項３５記載のシステムにおいて、前記マルチメディア・メッセージ・サービス・サーバは前記被呼者に対するマルチメディア・メッセージの伝達を遅延させるシステム。
【請求項４４】
発呼者からの呼に対し被呼者の応答が無かった場合、当該呼を完了させるシステムであって、
前記呼に対し前記被呼者の応答が無かったことを知らせる信号を検出し、前記呼を終了し、メッセージを送るように指示するための前記信号を前記発呼者が操作する端末に送る、前記被呼者に関連付けられた移動スイッチング・センターと、
マルチメディア・メッセージ・サービス・サーバと、
前記移動スイッチング・センターと、前記マルチメディア・メッセージ・サービス・サーバとに通信可能に結合された端末であって、前記メッセージを前記発呼者に提示して前記被呼者に伝えるマルチメディア・メッセージを作成するように前記発呼者に促し、前記発呼者が前記マルチメディア・メッセージを作成し終る度に、当該マルチメディア・メッセージを前記被呼者に伝えるために前記マルチメディア・メッセージ・サービス・サーバに送る、端末と、
を備えるシステム。
【請求項４５】
請求項４４記載のシステムにおいて、前記呼に対し前記被呼者の応答が無かったことを知らせる信号は話中信号を含むシステム。
【請求項４６】
請求項４４記載のシステムにおいて、前記呼に対し前記被呼者の応答が無かったことを知らせる信号は無応答信号を含むシステム。
【請求項４７】
請求項４４記載のシステムにおいて、前記呼に対し前記被呼者の応答が無かったことを知らせる信号は告知信号を含むシステム。
【請求項４８】
請求項４４記載のシステムにおいて、前記メッセージはカスタマイズされたメッセージであるシステム。
【請求項４９】
請求項４４記載のシステムにおいて、前記メッセージは１つ以上のマルチメディア要素を含むシステム。
【請求項５０】
請求項４４記載のシステムにおいて、前記マルチメディア・メッセージ・サービス・サーバは前記発呼者に関連付けられており、該マルチメディア・メッセージ・サービス・サーバは前記マルチメディア・メッセージを前記被呼者に伝えるために前記被呼者に関連付けられたマルチメディア・メッセージ・サービス・サーバに送付する、システム。
【請求項５１】
請求項４４記載のシステムにおいて、前記マルチメディア・メッセージ・サービス・サーバは前記被呼者に関連付けられているシステム。
【請求項５２】
請求項４４記載のシステムにおいて、前記マルチメディア・メッセージ・サービス・サーバは前記被呼者に対するマルチメディア・メッセージの伝達を遅延させるシステム。
【請求項５３】
発呼者からの呼に対し被呼者の応答が無かった場合、当該呼を完了させるシステムであって、
前記呼に対し前記被呼者の応答が無かったことを知らせる信号を検出し、前記呼を終了させ、インボウク・メッセージを前記マルチメディア・メッセージ・サービス・サーバに送る、前記被呼者に関連付けられた移動スイッチング・センターと、
前記移動スイッチング・センターに通信可能に結合されたマルチメディア・メッセージ・サービス・サーバであって、前記インボウク・メッセージに応答して、前記呼に対し前記被呼者の応答は無かったことを知らせるメッセージを前記発呼者が操作する端末に送る、マルチメディア・メッセージ・サービス・サーバと、
前記移動スイッチング・センターとマルチメディア・メッセージ・サービス・サーバとに通信可能に結合された端末であって、前記メッセージを前記発呼者に提示して前記被呼者に伝えるマルチメディア・メッセージを作成するように前記発呼者に促し、該発呼者が前記マルチメディア・メッセージを作成し終る度に、該マルチメディア・メッセージを前記被呼者に伝えるために前記マルチメディア・メッセージ・サービス・サーバに送る、端末と、
を備えるシステム。
【請求項５４】
請求項５３記載のシステムにおいて、前記呼に対し前記被呼者の応答が無かったことを知らせる信号は話中信号を含むシステム。
【請求項５５】
請求項５３記載のシステムにおいて、前記呼に対し前記被呼者の応答が無かったことを知らせる信号は無応答信号を含むシステム。
【請求項５６】
請求項５３記載のシステムにおいて、前記呼に対し前記被呼者の応答が無かったことを知らせる信号は告知信号を含むシステム。
【請求項５７】
請求項５３記載のシステムにおいて、前記メッセージはカスタマイズされたメッセージであるシステム。
【請求項５８】
請求項５３記載のシステムにおいて、前記メッセージは１つ以上のマルチメディア要素を含むシステム。
【請求項５９】
請求項５３記載のシステムにおいて、前記マルチメディア・メッセージ・サービス・サーバは前記発呼者に関連付けられており、該マルチメディア・メッセージ・サービス・サーバは前記マルチメディア・メッセージを前記被呼者に伝えるために前記被呼者に関連付けられたマルチメディア・メッセージ・サービス・サーバに送付する、システム。
【請求項６０】
請求項５３記載のシステムにおいて、前記マルチメディア・メッセージ・サービス・サーバは、前記被呼者に関連付けられているシステム。
【請求項６１】
請求項５３記載のシステムにおいて、前記マルチメディア・メッセージ・サービス・サーバは、前記被呼者に対するマルチメディア・メッセージの伝達を遅延させるシステム。
【発明の詳細な説明】
【技術分野】
【０００１】
本発明は一般的に通信分野に関し、更に特定すれば、呼に対し被呼者の応答が無かった場合、当該呼を終了させる方法、装置、およびシステムに関するものである。
【背景技術】
【０００２】
移動通信システムでは、呼に対し被呼者の応答が無い場合、かなりのシステム・リソースを振り向けてこの呼を終了させる。例えば、発呼者に関連付けられた移動サービス・センター（“ＭＳＣ”）、即ちネットワーク・プロバイダの中央交換局は、応答のなかった呼を音声メール、または統一メッセージング・インテリジェント周辺装置に「送付」、即ち「振り向ける」ように設定される。応答の無かったこれらの呼は、「告知」、「話中」または「応答なし」信号の発生によって特徴付けることができる。音声メール、または統一メッセージング・インテリジェント周辺装置は、扱いにくく、高価で複雑なネットワーク構成要素であるため、発呼者と続ける対話は制約される。音声／統一メール・インテリジェント周辺装置は、被呼者が応答できないことを告知することによって呼を終了させ、且つ／または被呼者に音声メール・メッセージを伝える機会を発呼者に与える。このオンライン且つ適時のコンテント交換は制約を受ける。何故なら、メッセージ「作成（ｃｏｍｐｏｓｉｔｉｏｎ）」は、「音声メッセージを伝えるには、１を押す」とか「ファックス・メッセージを伝えるには、２を押す」といったように、かなり複雑な相互作用を必要とするからである。
【０００３】
更に、この呼終了方式はネットワーク内での回路切り替えを増やし、回路品質を劣化させ、継続時間、即ち接続の「エアタイム（ａｉｒ−ｔｉｍｅ）」（例えば、沈黙、ためらい、データ速度、等）を長引かせる。その結果、ネットワーク・オペレータは操作および保守に係る費用の増加を被ることになる。その上に、「エアタイム」が長引くこと、およびメッセージング・サービスに伴って、発呼者および被呼者は費用増を被るおそれがある。
【０００４】
従って、呼に対し被呼者の応答が無かった時には当該呼を終了させる方法、装置およびシステムであって、前述の問題を取り除く、またはこの問題を極小化する方法、装置およびシステムが求められている。
【発明の開示】
【課題を解決するための手段】
【０００５】
本発明は、被呼者の応答が無かった呼を発呼者の端末が終了させることができるようにするフレキシブルなアーキテクチャを提供する。なお、本発明は音声呼を終了させるだけでなく、当事者間の対話を終了させるものである。本発明によって提供される機能は発呼者端末上単独で実現可能であり、または発呼者端末と被呼者のＭＳＣとの間で分割することが可能である。その結果、ネットワーク・オペレータの中央局は、ネットワーク内のリアルタイムの音声対話制約を緩和しながら、他の状況（ｃｏｎｔｅｘｔ）のために「回路切替え」および音声チャネルを割り当てなおすことができる。更に、本発明が生成するメッセージ・コンテントは、インターネットのような安価な「データ回路」チャネルにおいて送信される。
【０００６】
例えば本発明は、発呼者からの呼に被呼者から応答が無かった場合、前述の呼に対する被呼者の応答は無かったことを知らせる信号を検出することによって当該呼を完了し、且つこれを終了させる方法を提供する。被呼者の応答が無かったことを知らせ、被呼者に伝えるマルチメディア・メッセージを作成するように発呼者を促すメッセージを発呼者に提示する。発呼者がマルチメディア・メッセージを作成し終る度に、当該マルチメディア・メッセージは、マルチメディア・メッセージ・サービス・サーバ（“ＭＭＳサーバー”）に送られ、次に被呼者に伝えられる。上述したように、この方法は発呼者端末上単独において実現可能であり、または発呼者端末と被呼者のＭＳＣとの間で分割可能である。更に、この方法はコンピュータ読み込み可能媒体上で具現されるコンピュータ・プログラムを用いることによって実現することができ、各機能はコード・セグメントを用いることによって実行することができる。
【０００７】
更に、本発明は発呼者からの呼に対し被呼者の応答が無かった場合この呼を終了させることができる端末を提供する。当該端末は、呼に対する被呼者からの応答が無かったことを知らせる信号を検出する手段と、当該呼を終了させる手段と、被呼者の当該呼に対する応答は無かったことを知らせ、且つ被呼者に伝えるマルチメディア・メッセージを作成するように発呼者を促すメッセージを発呼者に提示する手段とを備える。また、当該端末は、発呼者がマルチメディア・メッセージを作成し終る度に、当該マルチメディア・メッセージを被呼者に伝えるためにＭＭＳサーバに送る手段を備える。
【０００８】
また、本発明は、発呼者からの呼に対し被呼者から応答が無かった場合、この呼を終了させるシステムであって、ＭＭＳサーバと、発呼者が操作する端末であって、当該ＭＭＳサーバに通信可能に結合された端末とを備えたシステムを提供する。端末は、呼に対し被呼者の応答が無かったことを知らせる信号を検出し、当該呼を終了させ、呼に対し被呼者の応答は無かったことを知らせるメッセージを発呼者に提示し、更に被呼者に伝えるマルチメディア・メッセージを作成するように発呼者に促す。次に、端末は、発呼者がマルチメディア・メッセージを作成し終る度に当該マルチメディア・メッセージを被呼者に伝えるためにＭＭＳサーバに送る。
【０００９】
更に、本発明は発呼者からの呼に被呼者の応答がなかった場合に当該呼を終了させるシステムであって、被呼者に関連付けられたＭＳＣと、ＭＭＳサーバと、発呼者が操作する端末とを備えたシステムを提供する。第１の構成では、ＭＳＣは呼に対し被呼者の応答が無かったことを知らせる信号を検出し、当該呼を終了させ、更にメッセージを送るように指示する（ｔｏ  ｉｎｖｏｋｅ）ための信号を端末に送る。第２の構成では、ＭＳＣは呼に対し被呼者の応答が無かったことを知らせる信号を検出し、当該呼を終了させ、インボウク・メッセージ（ｉｎｖｏｋｅ  ｍｅｓｓａｇｅ）をＭＭＳサーバに送る。また、第２の構成では、ＭＭＳサーバはＭＳＣと通信可能に結合され、前述のインボウク・メッセージに応答して、被呼者は呼に応答しなかったことを知らせるメッセージを端末に送る。いずれの構成においても、ＭＳＣおよびＭＭＳサーバに通信可能に結合された端末は、発呼者にメッセージを送って、被呼者に伝えるマルチメディア・メッセージを作成するように発呼者に促す。続いて、端末は発呼者がマルチメディア・メッセージを作成し終る度にマルチメディア・メッセージを被呼者に伝えるためにマルチメディア・メッセージＭＭＳサーバに送る。
【００１０】
本発明のその他の特徴および利点は、添付図面に関係付けられた以下の詳細な説明を参照することによって当業者には明らかとなろう。
【実施例１】
【００１１】
本発明の実行および使用に関しては以下で詳細に論ずることとするが、本発明は実に様々な特定の状況において具現可能な適切な発明発想を数多く提供するものであることは認められてしかるべきである。例えば、本発明は電気通信システムに加えて、その他の通信形態または一般的なデータ処理にも適用可能である。その他の通信形態には、ネットワーク間通信、衛星経由通信、または本発明作成日現在公知ではないあらゆる形態の通信が含まれる。ここで論ずる特定の実施形態は、本発明の実行および使用に関する特定の方法を単に説明するものであって、発明の範囲を限定するものではない。
【００１２】
本発明は、被呼者から応答が無かった呼を発呼者の端末は終了させることができるようにするフレキシブルなアーキテクチャを提供する。なお、本発明は音声呼を終了させるだけでなく、当事者間の対話を終了させるものである。本発明によって提供される機能は発呼者端末上単独で実現可能であり、または発呼者端末と被呼者のＭＳＣとの間で分割可能である。その結果、ネットワーク・オペレータの中央局は、ネットワーク内のリアルタイムの音声対話制約を緩和しながら、他の状況に対して「回路切替え」および音声チャネルを割り当て直すことができる。加えて、本発明が生成するメッセージ・コンテントは、インターネットのような安価な「データ回路」チャネルで送信される。
【００１３】
本発明は、マルチメディア・メッセージ・サービス環境（“ＭＭＳＥ”）内で動作し、マルチメディア・メッセージ・サービス環境は、固定ネットワーク、移動ネットワーク、移動通信第２世代（“２Ｇ”）移動ネットワーク用全地球システム（“ＧＳＭ”）、第３世代移動ネットワーク、およびインターネット／ＩＰネットワークを備えることができる。ＭＭＳＥは、効率的なパケット・データ・ベアラ（ｂｅａｒｅｒ：運搬人）を介して、マルチメディア・メッセージを目視、作成、および処理する能力（例えば、マルチメディア・メッセージの提示、受け取り、削除）をユーザに与える。マルチメディア・メッセージは、テキスト、音声、画像、ビデオ、といった１つ以上のメディア要素からなり、マルチメディア・コンテントとも言われるメディア表現は、同期を取って配列されたこれらのメディア要素の組み合わせによって作成される。ＭＭＳＥは、必要なサービス要素、例えば配信、格納、および告知機能をすべて備える。これらのサービス要素は一つのネットワーク内に配置するか、あるいはいくつかのネットワークまたはネットワークの種類の全体にわたって分散させることができる。ＭＭＳＥは、１つ以上のメッセージ・センター（“ＭＭＣ”）を備え、メッセージ・センターは、メッセージ・ストレージ毎に少なくとも一つのＭＭＳサーバを備える。ＭＭＣは着信および発信メッセージの格納と処理、ならびに異なるメッセージ・システム間でのメッセージ転送の役割を担う。
【００１４】
図１を参照すると、本発明の実施形態による「無応答」または「話中」呼の終了プロセスを示す図が示されている。発呼者は、状態（ｓｔａｔｅ）１００によって示される端末を用いて発呼する。端末は、携帯用情報端末（「ＰＤＡ」）、移動電話機、またはそれらの組み合わせのような、マルチメディア機能を有する手持ち式装置またはハンドセットとすることができる。端末またはその他のネットワーク要素は、呼び出し音１０２または話中音１０４を検知する。呼び出し音１０２は端末またはネットワーク要素を待機の状態１０６にする。その後、端末またはネットワーク要素は、応答１０８または無応答１１０を検知する。被呼者が呼に応答１０８すると、当該呼は完了し、当事者は状態１１２に示されるように「通話」を行う。当事者の内の一方が「受話器を置く」１１４と、当該呼は終了し、状態１１６が示すようにプロセスは終了する。
【００１５】
他方、話中音１０４または無応答１１０によって呼は終結し、端末またはネットワーク要素はメッセージ状態１１８におかれる。メッセージ状態１１８では、発呼者は被呼者に伝えられるマルチメディア・メッセージを作成する機会を与えられる。発呼者または被呼者によって確認されるマルチメディア・メッセージはマルチメディア表現における１つ以上の異なるメディア要素の組み合わせであり、当事者間で転送可能であるが、リアルタイムに転送される必要はない。発呼者がマルチメディア・メッセージを完了すると、当該マルチメディア・メッセージは送られ（１２０）、当該マルチメディア・メッセージを対応するネットワーク要素を受け取ったという確認が受領され、これによってプロセス１１６は完了する。しかしながら、発呼者がマルチメディア・メッセージ作成を完了しない、または「受話器を置」けば、この場合もプロセスは終了する（１１６）。
【００１６】
ここで図２を参照すると、本発明の実施形態による「告知」呼終了プロセスを示す図が示されている。この事例では、無応答信号として発呼者へ伝えられる告知として、被呼者はデフォルト・メッセージである告知、または予め用意されたマルチメディア・メッセージ（例えば、私はただいまこちらの方に旅行中です…写真）を基に作成された告知を選択している。この告知には返信用の情報および／または任意の転送アドレス（例えば、「電子メール」、「こちらへどうぞ」、等）を含めることができる。被呼者の端末に到達できない場合、ネットワーク要素は発呼者への告知送付をトリガー（ｔｒｉｇｇｅｒ）する。告知はマルチメディア・メッセージに回答させる、または単に何らかの事実を述べさせるようにすることができる。
【００１７】
発呼者は状態２００によって示される端末を用いて発呼する。端末またはその他のネットワーク要素は、呼び出し音２０２または話中音２０４を検知すると、そのいずれによっても端末、又はネットワーク要素は待機状態２０６となる。告知がトリガーされない内に発呼者が「受話器を置く」２０８と、呼は終了され、プロセスは状態２１０で示されるように完了する。しかし、告知がトリガーされる（２１２，ＭＭ告知）と、端末またはネットワーク要素は、状態２１４によって示されるように、告知を発呼者に提示する。告知が一旦提示されると、端末はマルチメディア・メッセージを受け取ったという確認が送信され（２１６）、プロセスは終了される（２１０）。発呼者は、取得した告知に対する回答として被呼者２１８に伝えるマルチメディア・メッセージを作成する機会が与えられる。発呼者がマルチメディア・メッセージを完了し、当該マルチメディア・メッセージが送られ、ふさわしいネットワーク要素がこのマルチメディア・メッセージを受け取ったという確認が受領されると、これによってプロセスは終了される（２１０）。しかしながら、発呼者がマルチメディア・メッセージを完了しない、または「受話器を置く」と、この場合もプロセスは終了する（２１０）。
【００１８】
ここで図３を参照すると、本発明に従って呼を終了させる方法を説明するフロー・チャートが示されている。プロセスは、呼に対し被呼者の応答が無かったことを知らせる信号が検出されたブロック３００から始まる。信号は「告知」信号、「話中」信号、「無応答」信号、またはその他のあらゆる類似信号とすることができる。信号は被呼者に関連付けられたＭＳＣのようなネットワーク要素、または発呼者が操作する端末によって生成可能である。呼は次に、ブロック３０２において適切な装置（ＭＳＣまたは端末）によって終了される。次に、ブロック３０４において、呼に対し被呼者の応答が無かったことを知らせ、且つ被呼者に伝えるマルチメディア・メッセージを作成するように発呼者に促すメッセージが発呼者に提示される。メッセージは、（１）端末、または被呼者に関連付けられたＭＳＣによって生成される信号に応答して、端末によって生成することが可能であり、または（２）被呼者に関連付けられたＭＳＣからのインボウク・メッセージの結果としてＭＭＳサーバから受け取ることが可能である。更に、メッセージはデフォルト・メッセージ、またはカスタマイズされたメッセージとすることができ、発呼者（端末優先）、被呼者（告知）、またはネットワーク要素（ＭＭＳサーバまたは被呼者に関連付けられたＭＳＣ）がそれを決定する。メッセージは１つ以上のマルチメディア要素を含むことができる。
【００１９】
決定ブロック３０６において確認されるように、発呼者がマルチメディア・メッセージを作成し終えると、ブロック３０８においてマルチメディア・メッセージはＭＭＳサーバに送られ、次に被呼者に伝えられ、ブロック３１０においてプロセスは終了する。ＭＭＳサーバは、自身が被呼者にも関連付けられている場合、マルチメディア・メッセージを格納する。そうでない場合、被呼者に関連付けられたＭＭＳサーバにマルチメディア・メッセージを格納のため送付する。対応するＭＭＳサーバは、マルチメディア・メッセージが受領され、伝達する用意ができていることの告知を被呼者に送る。前述のように、マルチメディア・メッセージはテキスト、絵画、オーディオ・ファイルを含むことができる。また、ＭＭＳサーバは、マルチメディア・メッセージを無事に受信したことを知らせる確認を端末に送ることができる。あるいは、マルチメディア・メッセージを電子メール・アドレスのような別の宛て先に送ることも可能である。更に、マルチメディア・メッセージの送付は、予定を先に延ばして遅延させるように設定可能である。これは、ネットワーク・オペレータ（例えば、低コスト、低い優先順位、サービス・パラメータの質、サービス・プラン、等）、被呼者（例えば、「私はハネムーンから…日に戻ります。」、等）、または発呼者（例えば、「誕生日カード」、等）によって選択される。同様に、マルチメディア・メッセージを、急がせて送る、即ち「急送」するように設定することができる。しかしながら、決定ブロック３０６で決定されるように、発呼者がマルチメディア・メッセージ作成を完了しない、または「受話器を置け」ば、プロセスはブロック３１０において終了する。
【００２０】
ここで図４を参照すると、本発明の一実施形態による呼終了プロセスを説明するシーケンス図が示されている。このシーケンスは、例示されたメッセージ・フローによって示されるように、全てが互いに通信可能に結合された端末４００、ＭＭＳサーバ４０２、およびＭＳＣ４０４を備えたシステムを表す。マルチメディア・サービス対応であり、且つ発呼者が操作する端末４００は、被呼者に向けて発呼（４０６）する。呼４０６は通信ネットワークを介して、被呼者に関連付けられたＭＳＣ４０４に宛てて送られる。プロセス・ステップ４０８において、端末４００は呼に対し被呼者の応答が無かったことを知らせる信号を検出して、呼４０６を終了する。この信号は、「告知」信号、「話中」信号、「無応答」信号、またはその他のあらゆる類似の信号とすることができる。次にプロセス・ステップ４１０において、端末４００は呼に対し被呼者の応答が無かったことを知らせるメッセージを発呼者に提示し、被呼者に伝えるマルチメディア・メッセージを作成するように促す。そのメッセージは、同じく端末４００によって生成される信号に応答して、端末４００によって生成される。更に、メッセージは、デフォルト・メッセージまたはカスタマイズされたメッセージとすることができるが、それは発呼者（端末４００優先）によって決定される。このメッセージは１つ以上のマルチメディア要素を含むことができる。
【００２１】
プロセス４１０において、発呼者がマルチメディア・メッセージを作成し終えると、当該マルチメディア・メッセージ４１２はＭＭＳサーバ４０２に送られ、次に被呼者に伝えられる。ＭＭＳサーバ４０２は、自身が被呼者にも関連付けられている場合、マルチメディア・メッセージ４１２を格納する。そうでない場合、マルチメディア・メッセージ４１２を被呼者に関連付けられたＭＭＳサーバに格納のため送付する。対応のＭＭＳサーバ４０２は、マルチメディア・メッセージ４１２を受領し、伝達する用意ができている旨の通知を被呼者に送付する。上述したように、マルチメディア・メッセージ４１２はテキスト、絵画、およびオーディオ・ファイルを含むことができる。また、ＭＭＳサーバ４０２はマルチメディア・メッセージ４１２を無事受領したことを知らせる確認を端末４００に対して送ることができる。更に、マルチメディア・メッセージの送付は、予定を先に延ばして遅らせるように設定することができる。その選択は、ネットワーク・オペレータ（例えば、低コスト、低い優先順位、サービス・パラメータの質、サービス・プラン、等）、被呼者（例えば、「私はハネムーンから…日に戻ります。」、等）、または発呼者（例えば、「誕生日カード」、等）によって行うことができる。同様に、マルチメディア・メッセージは、急いで送る、即ち「急送」するように設定することができる。しかしながら、プロセス４１０において発呼者がマルチメディア・メッセージ作成を完了せず、または「受話器を置け」ば、プロセスは終了する。なお、端末４００内で上述のプロセスを実現するための手段は、ハードウエア、ソフトウエア、またはその組み合わせによって達成される。
【実施例２】
【００２２】
ここで図５を参照すると、本発明の別の実施形態による呼終了プロセスを説明するシーケンス図が示されている。このシーケンスは、例示されたメッセージ・フローによって示されるように、全てが互いに通信可能に結合された端末４００、ＭＭＳサーバ４０２、およびＭＳＣ４０４を備えたシステムを表す。マルチメディア・サービス対応であり、且つ発呼者が操作する端末４００は、被呼者に向けて発呼（５００）する。呼５００は通信ネットワークを介して被呼者に関連付けられたＭＳＣ４０４に宛てて送られる。プロセス・ステップ５０２において、ＭＳＣ４０４は、呼に対し被呼者の応答が無かったことを知らせる信号を検出し、呼５００を終了させる。この信号は、「告知」信号、「話中」信号、「無応答」信号、またはその他のあらゆる類似の信号とすることができる。ＭＳＣ４０４は、次に信号５０４を端末４００に送る。次に、プロセス・ステップ５０６において、端末４００は信号５０４に応答して、被呼者は呼に応答しなかったことを知らせるメッセージを発呼者に提示し、被呼者に伝えるマルチメディア・メッセージを作成するように促す。そのメッセージは、信号に応答して、端末４００によって生成される。更に、メッセージは、デフォルト・メッセージまたはカスタマイズされたメッセージとすることができるが、それは発呼者（端末４００優先）によって決定される。このメッセージは１つ以上のマルチメディア要素を含むことができる。
【００２３】
プロセス・ステップ５０６において、発呼者がマルチメディア・メッセージを作成し終えると、マルチメディア・メッセージ５０８はＭＭＳサーバ４０２に送られ、次に被呼者に伝えられる。ＭＭＳサーバ４０２は、自身が被呼者にも関連付けられている場合、マルチメディア・メッセージ５０８を格納する。そうでない場合、マルチメディア・メッセージ５０８を被呼者に関連付けられたＭＭＳサーバに格納のため送付する。対応のＭＭＳサーバ４０２はマルチメディア・メッセージ５０８が受領され、伝達する用意ができていることの告知を送る。上述したように、マルチメディア・メッセージ５０８はテキスト、絵画、およびオーディオ・ファイルを含むことができる。また、ＭＭＳサーバ４０２はマルチメディア・メッセージ５０８を無事受領したことを知らせる確認を端末４００に対して送ることができる。あるいは、マルチメディア・メッセージ５０８を電子メール・アドレスのような別の宛て先に送ることもできる。更に、マルチメディア・メッセージの送付は、予定を先に延ばして遅らせるように設定することができる。その選択は、ネットワーク・オペレータ（例えば、低コスト、低い優先順位、サービス・パラメータの質、サービス・プラン、等）、被呼者（例えば、「私はハネムーンから…日に戻ります。」、等）、または発呼者（例えば、「誕生日カード」、等）によって行うことができる。同様に、マルチメディア・メッセージは、急いで送る、即ち「急送」するように設定することができる。しかしながら、プロセス・ステップ５０６において発呼者がマルチメディア・メッセージ作成を完了しない、または「受話器を置」けば、プロセスは終了する。
【実施例３】
【００２４】
ここで図６を参照すると、本発明の別の実施形態による呼終了プロセスを説明するシーケンス図が示されている。このシーケンスは、例示されたメッセージ・フローによって示されるように、全てが互いに通信可能に結合された端末４００、ＭＭＳサーバ４０２、およびＭＳＣ４０４を備えたシステムを表す。マルチメディア・サービス対応、且つ発呼者が操作する端末４００は、被呼者に対して発呼（６００）する。呼６００は、通信ネットワークを介し、被呼者に関連付けられたＭＳＣ４０４に宛てて送られる。プロセス・ステップ６０２において、ＭＳＣ４０４は、被呼者は呼に応答しなかったことを知らせる信号を検出し、呼６００を終了する。この信号は、「告知」信号、「話中」信号、「無応答」信号、またはその他のあらゆる類似の信号とすることができる。次に、ＭＳＣ４０４はインボウク・メッセージ６０４をＭＭＳサーバ４０２に送る。ＭＭＳサーバ４０２は、インボウク・メッセージに応答して、被呼者は呼に応答しなかったことを知らせるメッセージ６０６を端末４００に送る。このメッセージはデフォルト・メッセージ、またはカスタマイズされたメッセージとすることができるが、それは被呼者（告知）またはネットワーク要素（ＭＭＳサーバ４０２または被呼者に関連付けられたＭＳＣ４０４）によって決定される。このメッセージは１つ以上のマルチメディア要素を含むことができる。端末４００は次に、プロセス・ステップ６０８において、発呼者に対しメッセージ６０６を提示し、被呼者に伝えるマルチメディア・メッセージを作成するように発呼者に促す。
【００２５】
プロセス・ステップ６０８において、発呼者がマルチメディア・メッセージ作成し終えると、マルチメディア・メッセージ６１０はＭＭＳサーバ４０２に送られ、次に被呼者に伝えられる。ＭＭＳサーバ４０２は、自身が被呼者にも関連付けられている場合、マルチメディア・メッセージ６１０を格納し、そうでない場合、マルチメディア・メッセージ６１０を被呼者に関連付けられたＭＭＳサーバに格納のため送る。対応のＭＭＳサーバ４０２は、マルチメディア・メッセージ６１０は受領され、伝達する用意ができていることの告知を被呼者に送る。上述したように、マルチメディア・メッセージ６１０はテキスト、絵画、およびオーディオ・ファイルを含むことができる。また、ＭＭＳサーバ４０２はマルチメディア・メッセージ６１０を無事受領したことを知らせる確認を端末４００に対して送ることができる。あるいは、マルチメディア・メッセージ６１０は、回答（例えば、「電子メール」、「こちらへどうぞ」、等）用のメッセージの中から得られる転送アドレスのような別の宛て先に送ることができる。更に、マルチメディア・メッセージの送付を、予定を先に延ばして遅らせるように設定することができる。その選択は、ネットワーク・オペレータ（例えば、低コスト、低い優先順位、サービス・パラメータの質、サービス・プラン、等）、被呼者（例えば、「私はハネムーンから…日に戻ります。」、等）、または発呼者（例えば、「誕生日カード」、等）によって行うことができる。同様に、マルチメディア・メッセージは、急いで送る、即ち「急送」するように設定することができる。しかしながら、プロセス・ステップ６０８において発呼者はマルチメディア・メッセージの作成を完了しない、または「受話器を置」けば、プロセスは終了する。
【００２６】
ここに明示した実施形態および例は、本発明および実際の応用を最もわかりやすく説明し、それによって当業者が本発明を実行および利用することができるようにするために提示したものである。しかしながら、前述の説明および例は、単に例示および事例を目的として提示したものであることを、当業者は認めるであろう。明示した説明は、網羅的であることを意図したものではなく、本発明開示の厳密な形式に限定することを意図するものでもない。上記の教示に鑑みて、以下の特許請求の精神および範囲から逸脱することなく、多くの修正、および変形が可能である。
【図面の簡単な説明】
【００２７】
本発明の理解を深め、更に本発明の実施方法を一例として説明するため、ここで添付図面と共に発明の詳細な説明を参照する。同図面では、異なる図の対応する参照番号は対応部分を示している。
【図１】図１は、本発明の実施形態による「無応答」呼、または「話中」呼の終了プロセスを示す図である。
【図２】図２は、本発明の実施形態による「告知」呼の終了プロセスを示す図である。
【図３】図３は、本発明による呼終了方法を示すフロー・チャートである。
【図４】図４は、本発明の一実施形態による呼終了プロセスを示すシーケンス図である。
【図５】図５は、本発明の別の実施形態による呼終了プロセスを示すシーケンス図である。
【図６】図６は、本発明の別の実施形態による呼終了プロセスを示すシーケンス図である。
【図１】
2005533407.tif 000003
【図２】
2005533407.tif 000004
【図３】
2005533407.tif 000005
【図４】
2005533407.tif 000006
【図５】
2005533407.tif 000007
【図６】
2005533407.tif 000008
【手続補正書】
【提出日】平成16年4月20日(2004.4.20)
【手続補正１】
【補正対象書類名】特許請求の範囲
【補正対象項目名】全文
【補正方法】変更
【補正の内容】
【特許請求の範囲】
【請求項１】
発呼者からの呼に対して被呼者の応答がなかった場合、当該呼を完了させる方法であって、
音声チャネルを介して被呼者に向けて呼を開始するステップと、
前記呼に対し前記被呼者の応答が無かったことを知らせる信号を検出するステップと、
前記音声チャネルを介した前記呼を終了させるステップと、
前記呼に対し前記被呼者の応答が無かったことを知らせるメッセージを提示し、且つ前記被呼者に伝えるマルチメディア・メッセージを作成するように前記発呼者に促すステップと、
前記発呼者が前記マルチメディア・メッセージを作成し終る度に、データ・チャネルを介して該マルチメディア・メッセージを被呼者に伝えるためにマルチメディア・メッセージ・サービス・サーバに送るステップと、
を含む方法。
【請求項２】
請求項１記載の方法において、前記呼に対し前記被呼者の応答が無かったことを知らせる信号は話中信号を含む方法。
【請求項３】
請求項１記載の方法において、前記メッセージは前記被呼者によって決定され、カスタマイズされた信号である方法。
【請求項４】
請求項１記載の方法において、前記メッセージは前記被呼者に関係付けられた代替宛て先に伝えられる方法。
【請求項５】
請求項１記載の方法において、前記発呼者が操作する端末が検出、終了、提示、促し、および送付ステップを実行する方法。
【請求項６】
請求項１記載の方法において、前記発呼者に関連付けられた移動スイッチング・センターは、前記呼に対し前記被呼者の応答が無かったことを知らせる信号を検出するステップを実行し、前記呼を終了させるステップを実行し、更に前記発呼者が操作する端末に信号を送って前記メッセージを送るように指示する方法。
【請求項７】
請求項１記載の方法において、前記発呼者に関連付けられた移動スイッチング・センターは、前記呼に対し前記被呼者の応答は無かったことを知らせる信号を検出するステップを実行し、前記呼を終了させるステップを実行し、前記発呼者にメッセージを送るように前記マルチメディア・メッセージ・サービス・サーバに指示するインボウク・メッセージを前記マルチメディア・メッセージ・サービス・サーバに送る方法。
【請求項８】
請求項１記載の方法において、前記マルチメディア・メッセージ・サービス・サーバは前記発呼者に関連付けられ、該マルチメディア・メッセージ・サービス・サーバは、前記発呼者に関連付けられたマルチメディア・メッセージ・サービス・サーバにマルチメディア・メッセージを前記被呼者に伝えるために送付する方法。
【請求項９】
請求項１記載の方法において、前記マルチメディア・メッセージ・サービス・サーバは前記被呼者に関連付けられる方法。
【請求項１０】
請求項１記載の方法であって、更に、前記被呼者に対する前記マルチメディア・メッセージの伝達を遅延させるステップを含む方法。
【請求項１１】
コンピュータ読み込み可能媒体上で具現化され、発呼者からの呼に対し被呼者の応答が無かった場合、呼を完了させるコンピュータ・プログラムであって、
音声チャネルを介して前記被呼者に向けて呼を開始するように適応したコード・セグメントと、
前記呼に対し前記被呼者の応答が無かったことを知らせる信号を検出するように適応したコード・セグメントと、
前記音声チャネルを介した前記呼を終了させるように適応したコード・セグメントと、
前記呼に対し前記被呼者の応答が無かったことを知らせるメッセージを発呼者に提示し、前記被呼者に伝えるマルチメディア・メッセージを作成するように前記発呼者に促すように適応したコード・セグメントと、
前記発呼者が前記マルチメディア・メッセージを作成し終る度に、データ・チャネルを介して当該マルチメディア・メッセージを前記被呼者に伝えるためにマルチメディア・メッセージ・サービス・サーバに送るように適応したコード・セグメントと、
を備えたコンピュータ・プログラム。
【請求項１２】
請求項１１記載のコンピュータ・プログラムにおいて、前記被呼者は前記呼に応答しなかったことを知らせる信号は話中信号を含むコンピュータ・プログラム。
【請求項１３】
請求項１１記載のコンピュータ・プログラムにおいて、前記メッセージは前記被呼者によって決定された、カスタマイズされたメッセージであるコンピュータ・プログラム。
【請求項１４】
請求項１１記載のコンピュータ・プログラムにおいて、前記メッセージは前記被呼者に関連付けられた代替宛ての先アドレスを含むコンピュータ・プログラム。
【請求項１５】
請求項１１記載のコンピュータ・プログラムにおいて、前記検出、終了、提示、促し、および送付機能を実行するように適応した前記コード・セグメントは、前記発呼者が操作する端末上にある、コンピュータ・プログラム。
【請求項１６】
請求項１１記載のコンピュータ・プログラムであって、更に、
前記被呼者に関連付けられたマルチメディア・メッセージ・サービス・サーバ上にあって、前記メッセージを送るように指示するための前記信号を、前記発呼者が操作する端末に対して送るように適応したコード・セグメントを備え、
前記検出、および終了機能を実行するように適応したコード・セグメントは、前記移動スイッチング・センター上にある、コンピュータ・プログラム。
【請求項１７】
請求項１１記載のコンピュータ・プログラムであって、更に、
前記被呼者に関連付けられた移動スイッチング・センター上にあって、前記発呼者に前記メッセージを送るように前記マルチメディア・メッセージ・サービス・サーバに指示するインボウク・メッセージを前記マルチメディア・メッセージ・サービス・サーバに送るように適応したコード・セグメントを備え、
前記検出、および終了機能を実行するように適応した前記コード・セグメントは、前記移動メッセージ・センター上にある、コンピュータ・プログラム。
【請求項１８】
請求項１１記載のコンピュータ・プログラムにおいて、前記マルチメディア・メッセージ・サービス・サーバは前記発呼者に関連付けられ、該マルチメディア・メッセージ・サービス・サーバは前記被呼者に関連付けられたマルチメディア・メッセージ・サービス・サーバに前記マルチメディア・メッセージを前記被呼者に伝えるために送るコンピュータ・プログラム。
【請求項１９】
請求項１１記載のコンピュータ・プログラムにおいて、前記マルチメディア・メッセージ・サービス・サーバは前記被呼者に関連付けられているコンピュータ・プログラム。
【請求項２０】
請求項１１記載のコンピュータ・プログラムであって、更に、前記被呼者に対する前記マルチメディア・メッセージの伝達を遅延させるように適応したコード・セグメントを備えるコンピュータ・プログラム。
【請求項２１】
発呼者からの呼に対し被呼者の応答が無かった場合、当該呼を完了させることができる端末であって、
音声チャネルを介して前記被呼者に向けて呼を開始する手段と、
前記呼に対し前記被呼者の応答が無かったことを知らせる信号を検出する手段と、
前記音声チャネルを介した前記呼を終了させる手段と、
前記呼に対し前記被呼者の応答が無かったことを知らせるメッセージを前記発呼者に提示し、前記被呼者に伝えるマルチメディア・メッセージを作成するように前記発呼者に促す手段と、
前記発呼者がマルチメディア・メッセージを作成し終える度に、データ・チャネルを介して該マルチメディア・メッセージを前記被呼者に伝えるためにマルチメディア・メッセージ・サービス・サーバに送る手段と、
を備える端末。
【請求項２２】
請求項２１記載の端末において、前記呼に対し前記被呼者の応答が無かったことを知らせる信号は話中信号を含む端末。
【請求項２３】
請求項２１記載の端末において、前記メッセージはカスタマイズされたメッセージである端末。
【請求項２４】
請求項２１記載の端末において、前記メッセージは特定の時間に伝えられるようにスケジュールされる端末。
【請求項２５】
発呼者からの呼に対し被呼者の応答が無かった場合、当該呼を終了させるシステムであって、
マルチメディア・メッセージ・サービス・サーバと、
前記マルチメディア・メッセージ・サービス・サーバと通信可能に結合された発呼者が操作する端末であって、音声チャネルを介して前記被呼者に呼を開始し、前記呼に対し前記被呼者の応答が無かったことを知らせる信号を検出し、前記音声チャネルを介した当該呼を終了し、前記呼に対し前記被呼者の応答が無かったこと知らせるメッセージを前記発呼者に提示して、前記被呼者に伝えるマルチメディア・メッセージを作成するように前記発呼者に促し、該発呼者が前記マルチメディア・メッセージを作成し終る度に、データ・チャネルを介して該マルチメディア・メッセージを前記被呼者に伝えるために前記マルチメディア・メッセージ・サービス・サーバに送る、端末と、
を備えるシステム。
【請求項２６】
請求項２５記載のシステムにおいて、前記呼に対し前記被呼者の応答が無かったことを知らせる信号は話中信号を含むシステム。
【請求項２７】
請求項２５記載のシステムにおいて、前記マルチメディア・メッセージ・サービス・サーバは前記発呼者に関連付けられており、該マルチメディア・メッセージ・サービス・サーバは前記マルチメディア・メッセージを前記被呼者に伝えるために前記被呼者に関連付けられたマルチメディア・メッセージ・サービス・サーバに送るシステム。
【請求項２８】
請求項２５記載のシステムにおいて、前記マルチメディア・メッセージ・サービス・サーバは前記被呼者に関連付けられているシステム。
【請求項２９】
請求項２５記載のシステムにおいて、前記マルチメディア・メッセージ・サービス・サーバは前記被呼者に対するマルチメディア・メッセージの伝達を遅延させるシステム。
【請求項３０】
発呼者からの呼に対し被呼者の応答が無かった場合、当該呼を完了させるシステムであって、
前記呼に対し前記被呼者の応答が無かったことを知らせる信号を検出し、音声チャネルを介して前記発呼者が操作する端末との間に確立された前記呼を終了し、メッセージを送るように指示するための前記信号を前記発呼者が操作する前記端末に送る、前記被呼者に関連付けられた移動スイッチング・センターと、
マルチメディア・メッセージ・サービス・サーバと、
前記移動スイッチング・センターと、前記マルチメディア・メッセージ・サービス・サーバとに通信可能に結合された端末であって、前記メッセージを前記発呼者に提示して前記被呼者に伝えるマルチメディア・メッセージを作成するように前記発呼者に促し、前記発呼者が前記マルチメディア・メッセージを作成し終る度に、データ・チャネルを介して当該マルチメディア・メッセージを前記被呼者に伝えるために前記マルチメディア・メッセージ・サービス・サーバに送る、端末と、
を備えるシステム。
【請求項３１】
請求項３０記載のシステムにおいて、前記呼に対し前記被呼者の応答が無かったことを知らせる信号は話中信号を含むシステム。
【請求項３２】
請求項３０記載のシステムにおいて、前記マルチメディア・メッセージ・サービス・サーバは前記発呼者に関連付けられており、該マルチメディア・メッセージ・サービス・サーバは前記マルチメディア・メッセージを前記被呼者に伝えるために前記被呼者に関連付けられたマルチメディア・メッセージ・サービス・サーバに送付するシステム。
【請求項３３】
請求項３０記載のシステムにおいて、前記マルチメディア・メッセージ・サービス・サーバは前記被呼者に関連付けられているシステム。
【請求項３４】
請求項３０記載のシステムにおいて、前記マルチメディア・メッセージ・サービス・サーバは前記被呼者に対するマルチメディア・メッセージの伝達を遅延させるシステム。
【請求項３５】
発呼者からの呼に対し被呼者の応答が無かった場合、前記呼を完了させるシステムであって、
前記呼に対し前記被呼者の応答が無かったことを知らせる信号を検出し、音声チャネルを介して前記発呼者が操作する端末との間に確立された前記呼を終了させ、インボウク・メッセージを前記マルチメディア・メッセージ・サービス・サーバに送る、前記被呼者に関連付けられた移動スイッチング・センターと、
前記移動スイッチング・センターに通信可能に結合されたマルチメディア・メッセージ・サービス・サーバであって、前記インボウク・メッセージに応答して、前記呼に対し前記被呼者の応答は無かったことを知らせるメッセージを前記発呼者が操作する前記端末に送る、マルチメディア・メッセージ・サービス・サーバと、
前記移動スイッチング・センターとマルチメディア・メッセージ・サービス・サーバとに通信可能に結合された端末であって、前記メッセージを前記発呼者に提示して前記被呼者に伝えるマルチメディア・メッセージを作成するように前記発呼者に促し、該発呼者が前記マルチメディア・メッセージを作成し終る度に、データ・チャネルを介して該マルチメディア・メッセージを前記被呼者に伝えるために前記マルチメディア・メッセージ・サービス・サーバに送る、端末と、
を備えるシステム。
【請求項３６】
請求項３５記載のシステムにおいて、前記呼に対し前記被呼者の応答が無かったことを知らせる信号は話中信号を含むシステム。
【請求項３７】
請求項３５記載のシステムにおいて、前記マルチメディア・メッセージ・サービス・サーバは前記発呼者に関連付けられており、該マルチメディア・メッセージ・サービス・サーバは前記マルチメディア・メッセージを前記被呼者に伝えるために前記被呼者に関連付けられたマルチメディア・メッセージ・サービス・サーバに送付するシステム。
【請求項３８】
請求項３５記載のシステムにおいて、前記マルチメディア・メッセージ・サービス・サーバは、前記被呼者に関連付けられているシステム。
【請求項３９】
請求項３５記載のシステムにおいて、前記マルチメディア・メッセージ・サービス・サーバは、前記被呼者に対するマルチメディア・メッセージの伝達を遅延させるシステム。
【国際調査報告】
2005533407.tif 000009
2005533407.tif 000010
2005533407.tif 000011